(57)【特許請求の範囲】
【請求項１】
装置本体前面に設けた操作部における入力操作に応じて、１または複数種類の媒体を発行する媒体発行部を備え、
取扱処理機能として、前記媒体発行部で発行する媒体の種類の設定が行える媒体発行装置において、
前記操作部の少なくとも一方の側部に取り付けた、装置本体前面側に立設する透光性の板状部材と、
前記板状部材に光を照射し、当該板状部材を発色させる第１の発光部と、
装置本体における、前記操作部の上方に取り付けた第２の発光部と、
設定されている前記取扱処理機能、および装置本体の状態に応じて前記第１の発光部の発光状態を制御するとともに、装置本体の状態に応じて前記第２の発光部の発光状態を制御する発光制御部と、を備えた媒体発行装置。
【請求項２】
前記第１の発光部は、装置本体に対する、前記板状部材の取り付け面に対向させて配置した光源である、請求項１に記載の媒体発行装置。
【請求項３】
前記板状部材は、前記操作部の両側に取り付けており、
前記第１の発光部は、前記板状部材毎に設けている、請求項１、または２に記載の媒体発行装置。
【請求項４】
前記第１の発光部は、発光色が赤である発光素子、緑である発光素子、および青である発光素子を有し、
前記発光制御部は、前記第１の発光部が有する各発光素子の発光状態を制御し、設定されている前記取扱処理機能に応じた色で前記板状部材を発色させる、請求項１〜３のいずれかに記載の媒体発行装置。
【請求項５】
前記発光制御部は、装置本体が取扱停止状態であるとき、前記第１の発光部の発光を停止する、請求項１〜４のいずれかに記載の媒体発行装置。
【請求項６】
前記第２の発光部は、前記操作部の上方に複数の発光素子を幅方向に並べている、請求項１〜５のいずれかに記載の媒体発行装置。
【請求項７】
前記発光制御部は、装置本体が取扱停止状態であるとき、前記第２の発光部の発光を停止する、請求項１〜６のいずれかに記載の媒体発行装置。
【発明の詳細な説明】
【技術分野】
【０００１】
この発明は、乗車券（キップ、定期券、プリペイドカード等）や、テーマパークや映画館等のチケット等の媒体を発行する媒体発行装置に関する。
【背景技術】
【０００２】
従来、キップ、定期券等の乗車券を発行する券売機は、装置本体前面に表示器を設けるとともに、この表示器の画面上にタッチパネルを貼付している。利用者は、購入する乗車券の精算に用いる貨幣（紙幣や硬貨）やカード（クレジットカード等）を装置本体に投入する。利用者は、表示器に表示される画面を確認しながら、タッチパネルを操作し、購入する乗車券の種類等を選択する。券売機は、利用者によって選択された種類の乗車券を発行するとともに、取引金額を精算し、釣銭やカードを放出する（利用者に返却する。）。
【０００３】
多くの駅では、乗車券を購入する利用者の待ち時間を抑えるために、改札口の近くに、複数台の券売機を並べて設置している。利用者は、券売機での自身の入力操作が、隣の券売機で乗車券を購入している他の利用者から覗き見される等して、不快に感じることがある。特許文献１は、装置本体の両側に板状の部材を取り付けることによって、利用者の入力操作が他人に横から覗き見されるのを防止する構成を記載している。
【先行技術文献】
【特許文献】
【０００４】
【特許文献１】意匠１２４５１１２号公報
【発明の概要】
【発明が解決しようとする課題】
【０００５】
しかしながら、一般的な券売機は、消費電力を抑えるために、利用者がいないときに、表示器のバックライトをオフする。このため、券売機本体から少し離れた場所からでは、その券売機が取扱中であるのか、取扱停止中であるのか分かりにくかった。このため、券売機にある程度まで近づいたときに、その券売機が取扱停止中であることに気づき、別の券売機を探して乗車券を購入する利用者も多い。
【０００６】
なお、一般的な券売機は、表示器のバックライトをオフしているときにも、「取扱中」、「発売中止」等の文字表示により状態表示を行っているが、券売機本体から離れた場所からでは見分けがつきにくい。
【０００７】
また、上述した特許文献１のように、装置本体の両側に板状の部材を取り付けると、この板状部材によって視界が遮られるので、表示器の画面自体が見えにくい。
【０００８】
この発明目的は、他の利用者から覗き見されるのを防止するとともに、装置本体の状態が離れた場所からでも容易に確認できる媒体発行装置を提供することにある。
【課題を解決するための手段】
【０００９】
この発明の媒体発行装置は、上述の課題を解決し、その目的を達するために、以下のように構成している。
【００１０】
この媒体発行装置は、媒体発行部が、装置本体前面に設けた操作部における入力操作に応じて、１または複数種類の媒体を発行する。また、この媒体発行装置は、取扱処理機能として、媒体発行部で発行する媒体の種類の設定が行える。媒体発行装置は、操作部の一方の側部、または両側部に、透光性の板状部材を装置本体前面側に立設して取り付けている。また、第１の発光部を、装置本体における板状部材の立設面に対向させて配置しているとともに、第２の発光部を、装置本体における、操作部の上方に取り付けている。そして、発光制御部が、設定されている取扱処理機能、および装置本体の状態に応じて、この第１の発光部の発光状態を制御するとともに、装置本体の状態に応じて第２の発光部の発光状態を制御する。これにより、板状部材が第１の発光部から照射された光によって、設定されている取扱処理機能、および装置本体の状態に応じて発色する。また、作部の上方においても装置本体の状態に応じて第２の発光部が発色する。
【００１１】
したがって、上述の板状部材によって、操作部における利用者の操作が近くにいる他の人から覗き見されるのを防止できる。また、設定されている取扱処理機能、および装置本体の状態に応じて板状部材が発色するので、離れた場所からでも、設定されている取扱処理機能や、装置本体の状態が確認できる。例えば、取扱中であれば板状部材を発色させ、取扱停止中であれば板状部材を発色させない。
【００１２】
また、第１の発光部を、例えば、発光色が赤である発光素子、緑である発光素子、および青である発光素子を有する構成とすれば、板状部材の発色する色を切り換えることができる。したがって、設定されている取扱処理機能に応じて（装置本体で発行可能な媒体の種類に応じて、）、板状部材を発色させる色を異ならせることができ、所望の種類の媒体の発行が行える装置を遠くからでも確認できる。
【発明の効果】
【００１３】
この発明によれば、操作部における利用者の操作が、他の利用者から覗き見されるのを防止できるとともに、装置本体の状態が離れた場所からでも容易に確認できる。
【図面の簡単な説明】
【００１４】
【図１】券売機の主要部の構成を示すブロック図である。
【図２】券売機の外観を示す斜視図である。
【図３】乗車券売り場における、券売機の設置例を示す図である。
【図４】券売機の状態に対する、ブレードの発色、および稼働表示部の表示との関係を示す図である。
【図５】発光制御部における、ブレードの発色、および稼働表示部の表示制御にかかる動作を示すフローチャートである。
【発明を実施するための形態】
【００１５】
以下、この発明の実施形態である券売機について説明する。
【００１６】
図１は、この券売機の主要部の構成を示すブロック図である。図２は、券売機の外観を示す斜視図である。この券売機１は、制御部２と、表示部３と、操作部４と、乗車券発行部５と、硬貨処理部６と、紙幣処理部７と、通信部８と、発光制御部９と、発光部１０と、を備えている。この券売機１は、乗車券を発行（販売）する。乗車券には、キップ、定期券、プリペイドカード等がある。券売機１は、図３に示すように、駅の改札口近くの乗車券売り場に並べて設置される。各券売機１は、発行できる乗車券の種類等を含む、取扱処理機能を個別に設定できる。例えば、券売機１は、取扱処理機能をキップの発行のみとした設定や、取扱処理機能をキップ、および定期券の発行とした設定や、取扱処理機能をキップの発行、およびプリペイドカードの発行、チャージ（入金）とした設定が行える。
【００１７】
制御部２は、券売機１本体各部の動作を制御する。表示部３は、図２に示すように、本体正面に設けた表示器３ａを有し、この表示器３ａにおける画面表示を制御する。操作部４は、表示器３ａの画面上に貼付したタッチパネル４ａや、テンキーを有するキー操作部等の入力デバイスを有する。操作部４は、入力デバイスにおける利用者の入力操作を検出し、これを制御部２に通知する。
【００１８】
乗車券発行部５は、キップの発行、定期券の発行、プリペイドカードの発行、プリペイドカードに対するチャージ（入金）等を処理する。乗車券発行部５は、券売機１本体に対して設定されている取扱処理機能にかかる処理を実行する。言い換えれば、券売機１本体に対して設定されていない取扱処理機能にかかる処理については、その処理を実行するための構成を備えていても、実行しない。券売機１は、発券口５ａ、およびカード挿入／放出口５ｂを本体正面に設けている。乗車券発行部５は、利用者に対して発行するキップを発券口５ａに放出する。乗車券発行部５は、利用者に対して発行する定期券やプリペイドカードをカード挿入／放出口５ｂに放出する。また、乗車券発行部５は、カード挿入／放出口５ｂに挿入されたクレジットカードやプリペイドカードを取り込み、このカードに記録されているカードデータの読み取りや、このカードに対するカードデータの書き込み（カードデータの更新）等を行い、その後、利用者に返却するために、カード挿入／放出口５ｂに放出する。
【００１９】
硬貨処理部６は、乗車券の発券等にかかる取引金額の精算に用いる硬貨を受け付けるとともに、利用者に対して釣銭硬貨の放出を行う。券売機１は、投入硬貨受皿６ａ、および釣銭硬貨受皿６ｂを本体正面に設けている。投入硬貨受皿６ａは、底面に硬貨処理部６の投入口に連通するスリットを形成している。利用者が投入硬貨受皿６ａに入れた硬貨は、このスリットを通って、硬貨処理部６に投入される。硬貨処理部６の釣銭放出口（不図示）は、釣銭硬貨受皿６ｂの上方に位置している。この釣銭放出口から放出された硬貨（釣銭硬貨や、金種等が識別できなかった投入硬貨）は、釣銭硬貨受皿６ｂに溜まる。
【００２０】
紙幣処理部７は、乗車券の発券等にかかる取引金額の精算に用いる紙幣を受け付けるとともに、利用者に対して釣銭紙幣の放出を行う。券売機１は、紙幣挿入口７ａ、および紙幣放出口７ｂを本体正面に設けている。紙幣処理部７は、紙幣挿入口７ａにおいて利用者が挿入した投入紙幣や、紙幣放出口７ｂにおいて利用者に対して放出する釣銭紙幣について、金種や真偽を識別する紙幣識別部（不図示）を有している。また、本体内部には、紙幣を金種別に分けて収納する紙幣スタッカ（不図示）が設けられている。紙幣処理部７は、紙幣挿入口７ａに挿入された紙幣を紙幣搬送路に沿って搬送し、該当する金種の紙幣スタッカに収納する。また、紙幣処理部７は、この紙幣スタッカから、利用者に対して放出する釣銭紙幣を繰り出し、紙幣搬送路に沿って搬送し、紙幣放出口７ｂに放出する。
【００２１】
通信部８は、上位装置（不図示）や、同じコーナに設置されている券売機１との間における通信を制御する。
【００２２】
発光制御部９は、発光部１０の点灯を制御する。図２に示すように、券売機１は、ブレード１１を本体の両側に取り付けている。各ブレード１１は、板状の部材である。ブレード１１は、例えば半透明のアクリル板である。ブレード１１は、本体前面側に立設している。表示器３ａは、本体の両側部に立設する２つのブレード１１に挟まれている。
【００２３】
発光部１０は、ブレード１１を発色させるブレード用光源と、券売機１本体における表示器３ａの上方に位置する稼働表示部１２を発色させるイルミネーション用光源と、を有している。ブレード用光源が、この発明で言う第１の発光部に相当し、イルミネーション用光源が、この発明で言う第２の発光部に相当する。
【００２４】
ブレード用発光部は、図２に示す、ＬＥＤアレイ２１〜２６を有する。イルミネーション発光部は、ＬＥＤアレイ２７を有する。ＬＥＤアレイ２１〜２７は、複数個のＬＥＤを基板に取り付けている。ＬＥＤアレイ２１〜２７には、発光色が赤であるＬＥＤ、緑であるＬＥＤ、および青であるＬＥＤが、それぞれ複数個含まれている。発光制御部９は、ＬＥＤアレイ２１〜２７毎に、各発光色のＬＥＤの発光量を制御する。
【００２５】
ＬＥＤアレイ２１〜２３は、券売機１本体右側に立設するブレード１１を発色させる光源であり、ＬＥＤアレイ２４〜２６は、券売機１本体左側に立設するブレード１１を発色させる光源である。ブレード１１は、本体前面に対向する取付面については、光が入射しやすいように研磨している。また、その他の面については、光が乱反射するコーティングや、凹凸加工を施している。図２に示すように、ＬＥＤアレイ２１〜２６は、ブレード１１の取付面（上述した、光が入射しやすいように研磨した面）に対向させている。したがって、ＬＥＤアレイ２１が発した光は、ブレード１１に入射され、このブレード１１内で乱反射する。これにより、ブレード１１が発色する。ブレード１１が発色する色は、ＬＥＤアレイ２１〜２６における発光色毎の発光量を調整することにより、赤色、緑色、青色、黄色、水色  紫色、または白色の７色のいずれかにできる。上述したように、発光制御部９が、ＬＥＤアレイ２１〜２６毎に、各発光色のＬＥＤの発光量を制御する。
【００２６】
また、稼働表示部１２は、券売機１本体前面における表示器３ａの上方に取り付けた半透明のアクリル板の内側にＬＥＤアレイ２７を対向させて取り付けている。稼働表示部１２は、ＬＥＤアレイ２７における各ＬＥＤの発光がアクリル板を通して見える構成である。
【００２７】
ブレード１１を発色させる色は、券売機１本体に設定されている上述した取扱処理機能に応じて定めている。例えば、設定されている取扱処理機能が、キップの発行のみであれば赤、キップ、および定期券の発行であれば青、キップの発行、およびプリペイドカードの発行、チャージであれば緑、キップ、定期券の発行、およびプリペイドカードの発行、チャージであれば水色等と定めている。
【００２８】
券売機１は、本体の状態に応じて、発光制御部９がＬＥＤアレイ２１〜２６の点灯状態を制御し、ブレード１１を発色させる。また、発光制御部９は、ＬＥＤアレイ２７の点灯状態を制御し、稼働表示部１２の表示を行う。
【００２９】
この券売機１は、本体の状態を、待機中、発売中、呼出中、異常中、および発売中止中の５つの状態で分けている。待機中、発売中、呼出中、および異常中の４つが取扱中であり、発売中止中が取扱停止中である。
【００３０】
待機中は、表示器３ａのバックライトを消して、利用者を待っている状態であり、発売中は表示器３ａのバックライトを点灯している状態である。券売機１は、装置本体前面に近接センサ（不図示）を有しており、この近接センサにより利用者の有無を検出する。券売機１は、取扱中に、この近接センサが利用者を検出すると、表示器３ａのバックライトを点灯して発売中に移行する。また、この近接センサが、利用者を検出しなくなってからの経過時間が予め定めた一定時間に達すると、表示器３ａのバックライトを消して待機中に移行する。このとき、券売機１は、表示器３ａにおいて「取扱中」の文字を表示している。
【００３１】
呼出中は、利用者が券売機１本体に設けられている係員呼出ボタンを押下し、係員を呼び出している状態である。異常中は、貨幣、カード、キップの詰まり等の異常発生にともなって、券売機１本体が係員を呼び出している状態である。
【００３２】
発売中止中は、何らかの事情により券売機１本体の取扱を停止している状態であり、券売機１本体において異常が発生している場合もあれば、異常が発生していない場合もある。券売機１は、表示器３ａにおいて「発売中止」等の文字を表示している。
【００３３】
図４は、券売機の状態に対する、ブレードの発色、および稼働表示部の表示との関係を示す図である。券売機１は、本体が待機中、または発売中のときにブレード１１を発色し、呼出中、異常中、または発売中止中のときにブレード１１を発色させない。券売機１は、上述したように、券売機１本体に設定している取扱処理機能に応じてブレード１１を発色させる色を定めている。
【００３４】
稼働表示部１２は、券売機１本体が
（１）待機中であるとき、発光位置が左右に規則的に変化するウェーブ表示、
（２）発売中であるとき、青色の点灯表示、
（３）呼出中であるとき、黄色の点滅表示、
（４）異常中であるとき、赤色の点滅表示、
（５）発売中止中であるとき、消灯、
と定めている。
【００３５】
次に、この券売機１の動作について説明する。この券売機１における乗車券の発券動作は、公知の券売機と同様である。ここでは、利用者が、硬貨を投入してキップを購入するときの券売機１の動作について簡単に説明しておく。利用者は、購入するキップの価値以上の硬貨を投入硬貨受皿６ａに入れる。利用者は、複数枚の硬貨を一度に投入硬貨受皿６ａに入れることができる。投入硬貨受皿６ａに入れられた硬貨は、内周面に沿って滑り落ち、スリットを通って硬貨処理部６に投入される。
【００３６】
硬貨処理部６は、投入された硬貨毎に、その金種や真偽を識別する。硬貨処理部６は、金種等が識別できなかった硬貨については、釣銭硬貨受皿６ｂに放出する。硬貨処理部６は、金種および真偽が識別できた硬貨を一時保留部（不図示）に保留する。硬貨処理部６は、一時保留部に保留した硬貨の合計金額（投入金額）を算出する。
【００３７】
券売機１は、操作部４において投入金額以下の乗車券（キップ）の選択を受け付けると、乗車券発行部５が選択された種類のキップを発券口５ａに放出する。また、券売機１は、今回発行したキップの価値が投入金額未満であれば、硬貨処理部６が利用者に対して釣銭を釣銭硬貨受皿６ｂに放出する。また、券売機１は、一時保留部に保留している硬貨を硬貨スタッカに収納する。
【００３８】
利用者は、発券口５ａに放出されたキップ、および釣銭硬貨受皿６ｂに放出された釣銭を受け取る。
【００３９】
なお、券売機１は、キップの発行以外にも、定期券の発行や、プリペイドカードの発行、プリペイドカードへのチャージ等が取扱処理機能として設定されていれば、設定されている取扱処理機能にかかる処理が行える。
【００４０】
次に、発光制御部９における、ブレード１１の発色、および稼働表示部１２の表示制御について説明する。発光制御部９は、券売機１本体の状態に対する、ブレード１１の発色、および稼働表示部１２の表示との関係を記憶している。また、発光制御部９は、ブレード１１を発色させる色を記憶している。ブレード１１を発色させる色は、上述したように、券売機１本体に対して設定されている取扱処理機能に応じた色である。
【００４１】
図５は、発光制御部における、ブレードの発色、および稼働表示部の表示制御にかかる動作を示すフローチャートである。
【００４２】
制御部２は、券売機１本体の状態（待機中、発売中、呼出中、異常中、および発売中止中）が変化したとき、略リアルタイムに、変化した券売機１の状態を発光制御部９に通知する。発光制御部９は、制御部２から券売機１本体の状態が入力されると（ｓ１）、ブレード１１を発色させるか、発色させないかを判定する（ｓ２）。ｓ２にかかる判定は、上述した図４に示した関係に基づいて行う。発光制御部９は、ｓ２でブレード１１を発色させると判定すると、ＬＥＤアレイ２１〜２６に対して、赤、緑、および青３色の発光量を制御し、券売機１本体に対して設定されている取扱処理機能に応じた色でブレード１１を発色させる（ｓ３）。また、発光制御部９は、ｓ２でブレード１１を発色させないと判定すると、ＬＥＤアレイ２１〜２６の各ＬＥＤを消灯する（ｓ４）。
【００４３】
また、発光制御部９は、今回制御部２から通知された券売機１本体の状態に対する稼働表示部１２の表示状態を判定する（ｓ５）。ｓ５にかかる判定は、上述した図４に示した関係に基づいて行う。発光制御部９は、ｓ５で判定した表示状態に応じて、ＬＥＤアレイ２７に対して、赤、緑、および青３色のＬＥＤの発光を制御する（ｓ６）。
【００４４】
発光制御部９は、制御部２から券売機１本体の状態が入力されるたびに、図５に示した処理を繰り返す。
【００４５】
したがって、利用者は、券売機１本体から離れた場所からでも、券売機１本体の状態がブレード１１の発色の有無により判断できる。また、利用者は、ブレード１１が発色している色によって、券売機１本体で行える機能（取扱処理機能）が判断できる。さらに、このブレード１１によって、表示器３ａに表示されている画面や、タッチパネル４ａの操作が、他の利用者から覗き見されるのを防止できる。
【００４６】
なお、上記の説明では、本願発明を、乗車券を発行する券売機１に適用した場合を例にして説明したが、テーマパークや映画館等の入場券を発券する装置や、コンサート等の予約チケットを発券する装置等にも、本願発明を適用することも可能である。
【００４７】
また、隣接する券売機１間の隙間が殆どない場合は、ブレード１１の外側に遮蔽板を貼り付け、隣の券売機１のブレード１１の発色による影響を抑える構成としてもよい。
【００４８】
さらに、上述の図４に示した、券売機１の状態に対する、ブレード１１の発色、および稼働表示部１２の表示との関係は、あくまでも１例であり、これ以外の関係であってもよい。
【符号の説明】
【００４９】
１…券売機
２…制御部
３…表示部
３ａ…表示器
４…操作部
４ａ…タッチパネル
５…乗車券発行部
６…硬貨処理部
７…紙幣処理部
８…通信部
９…発光制御部
１０…発光部
１１…ブレード
１２…稼働表示部
２１〜２７…ＬＥＤアレイ
【図１】
0005463941.tif 000002
【図２】
0005463941.tif 000003
【図３】
0005463941.tif 000004
【図４】
0005463941.tif 000005
【図５】
0005463941.tif 000006